(57)【要約】【課題】情報入力装置における誤操作を防止する肩紐を提供する。【解決手段】肩紐１は、肩に掛ける肩紐本体１０と、肩紐本体１０に設けられた伸縮性のある脱落防止部材１１０と、脱落防止部材１１０の一端に設けられたペン１２０とから構成されてなる。使用者は、肩紐本体１０を肩に掛けた状態で、ペン１２０を使用して、情報入力装置２００を操作することができる。このとき、ペン１２０は、脱落防止部材１１０を介して肩紐本体１０に連結されているので、使用者は、ペン１２０が地面に脱落してしまう心配をしなくてもよい。【選択図】図３
2011107854.tif 000002
【特許請求の範囲】
【請求項１】
タッチ操作を検知して、入力を受け付ける情報入力装置本体と、
前記情報入力装置に取り付けられる肩紐本体と、
前記肩紐本体に接続された脱落防止部材と、
前記脱落防止部材の一端に接続され、前記情報入力装置本体に対するタッチ操作を行うための入力部材と
を有する情報入力装置。
【請求項２】
タッチ操作を検知して、入力を受け付ける情報入力装置本体と、
前記情報入力装置本体の入力受付面に対して起立状に設けられた棒状部材と、
前記棒状部材の先端に接続された脱落防止部材と、
前記脱落防止部材の一端に接続され、前記入力受付面に対するタッチ操作を行うための入力部材と
を有する情報入力装置。
【請求項３】
情報入力装置に取り付け可能な肩紐本体と、
前記肩紐本体に接続された脱落防止部材と、
前記脱落防止部材の一端に接続され、情報入力装置に対するタッチ操作を行うための入力部材と
を有する肩紐。
【請求項４】
前記脱落防止部材は、伸縮素材により形成されてなる
請求項３に記載の肩紐。
【請求項５】
前記脱落防止部材は、螺旋状に形成されたコードである
請求項３に記載の肩紐。
【請求項６】
前記肩紐本体に設けられ、前記入力部材を該肩紐本体に固定する固定部
をさらに有し、
前記脱落防止部材は、前記固定部よりも、前記肩紐本体の中央部に接続されてなる
請求項３に記載の肩紐。
【請求項７】
前記脱落防止部材は、紐状の部材であり、
前記入力部材は、前記脱落防止部材を筐体内部に巻き取る機構を有する
請求項３に記載の肩紐。
【発明の詳細な説明】
【技術分野】
【０００１】
本発明は、タッチ操作を検知する情報入力装置に関する。
【背景技術】
【０００２】
例えば、特許文献１には、測定作業用の設定や測定結果の表示をタッチパネルにより行うようにされた演算指示部を有する携帯型表面性状測定機において、持ち運び時には、演算指示部を立てた状態とし、測定時には、前記タッチパネルを上向きの略水平状態とすることが可能な、肩掛け可能なキャリングケースを備え、さらにキャリングケース又は演算指示部とタッチペンとが、紐で連結されている携帯型表面性状測定機が開示されている。
【先行技術文献】
【特許文献】
【０００３】
【特許文献１】特開２０００−２２１０２７号公報
【発明の概要】
【発明が解決しようとする課題】
【０００４】
本発明は、情報入力装置における誤操作を防止する肩紐を提供することを目的とする。
【課題を解決するための手段】
【０００５】
本発明に係る情報入力装置は、タッチ操作を検知して、入力を受け付ける情報入力装置本体と、前記情報入力装置に取り付けられる肩紐本体と、前記肩紐本体に接続された脱落防止部材と、前記脱落防止部材の一端に接続され、前記情報入力装置本体に対するタッチ操作を行うための入力部材とを有する。
【０００６】
また、本発明に係る情報入力装置は、タッチ操作を検知して、入力を受け付ける情報入力装置本体と、前記情報入力装置本体の入力受付面に対して起立状に設けられた棒状部材と、前記棒状部材の先端に接続された脱落防止部材と、前記脱落防止部材の一端に接続され、前記入力受付面に対するタッチ操作を行うための入力部材とを有する。
【０００７】
また、本発明に係る肩紐は、情報入力装置に取り付け可能な肩紐本体と、前記肩紐本体に接続された脱落防止部材と、前記脱落防止部材の一端に接続され、情報入力装置に対するタッチ操作を行うための入力部材とを有する。
【０００８】
好適には、前記脱落防止部材は、伸縮素材により形成されてなる。
【０００９】
好適には、前記脱落防止部材は、螺旋状に形成されたコードである。
【００１０】
好適には、前記肩紐本体に設けられ、前記入力部材を該肩紐本体に固定する固定部をさらに有し、前記脱落防止部材は、前記固定部よりも、前記肩紐本体の中央部に接続されてなる。
【００１１】
好適には、前記脱落防止部材は、紐状の部材であり、前記入力部材は、前記脱落防止部材を筐体内部に巻き取る機構を有する。
【発明の効果】
【００１２】
本発明によれば、情報入力装置における誤操作を防止することができる。
【図面の簡単な説明】
【００１３】
【図１】肩紐１の全体構成を例示する図である。
【図２】情報入力装置２００の斜視図である。
【図３】本実施例における肩紐１の使用状態を示す模式図である。
【図４】変形例１における情報入力装置３００の使用状態を示す模式図である。
【図５】比較例の情報入力装置９００の使用状態を示す模式図である。
【発明を実施するための形態】
【実施例１】
【００１４】
［背景］
図５に例示するように、情報入力装置９００（比較例）は、ペン９２０の紛失を防止するため、情報入力装置９００の筐体とペン９２０とを脱落防止部材９１０により連結したものであった。しかし、このような構成の場合、情報入力装置９００のタッチパネルにおける検知感度が高くなると、使用者は、ペン９２０により情報入力装置９００のタッチパネルを操作しているときに、脱落防止部材９１０が情報入力装置９００のタッチパネルに触れてしまい、情報入力装置９００を誤操作してしまうことがあった。
そこで、本実施形態では、ペンの紛失を防止するとともに、情報入力装置における誤操作を防止することができる肩紐を提案する。
なお、本実施形態における情報入力装置は、タッチパネルにおけるタッチ操作、又はボタン操作などにより、情報の入力及び出力を行うことができるものである。
【００１５】
［実施形態］
図１は、肩紐１の全体構成を例示する図である。
図１に例示するように、肩紐１は、肩紐本体１０と、脱落防止部材１１０と、ペン１２０と、固定部３０とを有する。
【００１６】
肩紐本体１０は、紐状又はベルト状に形成されたものである。肩紐本体１０は、両端を情報入力装置に取り付けられ、肩に掛けて使用される。肩紐本体１０を情報入力装置に取り付ける手段は、特に限定するものではない。例えば、肩紐本体１０は、両端を情報入力装置に設けられた穴に通して結んだり、又は肩紐本体１０の両端に設けた凸形状の部材を、情報入力装置に設けられた凹形状の溝に嵌合させること等により、情報入力装置に取り付けられればよい。
本実施例では、肩紐本体１０の両端には、取り付けベルト６０が縫着などにより接合されている。なお、取り付けベルト６０は、肩紐本体１０と一体的に形成されてもよい。取り付けベルト６０は、まず、折り返し固定具５０に通され、次に、長さ調節具４０の２つの穴に通され、次に、情報入力装置に設けられた肩紐用の穴に通され、次に、再び長さ調節具４０の２つの穴に通され、最後に、再び折り返し固定具５０に通されることで、肩紐本体１０を情報入力装置に取り付ける。このとき、長さ調節具４０に通す取り付けベルト６０の長さにより、使用者は、取り付け時の肩紐本体１０の長さを調節することができる。
【００１７】
脱落防止部材１１０は、肩紐本体１０に接続される。脱落防止部材１１０を肩紐本体１０に接続する手段は、特に限定するものではない。例えば、脱落防止部材１１０は、縫着若しくは接着などによる接合、リング状の部材による連結、又は面ファスナーによる絡み係合などにより、肩紐本体１０の端部以外の位置（例えば、端部から５ｃｍ以上離れた位置）に接続されればよい。
本実施例では、脱落防止部材１１０の端部に、リング状の装着具１３０が設けられている。また、肩紐本体１０の中央部分（端部以外の位置）には、リング状の連結具２０が設けられている。脱落防止部材１１０は、装着具１３０と連結具２０とが連結することにより、肩紐本体１０に接続される。なお、装着具１３０は、開閉可能な開口部により、連結具２０に連結することができる。
【００１８】
また、脱落防止部材１１０は、紐状に形成され、伸縮性を有する。例えば、脱落防止部材１１０は、ゴムなどの伸縮素材により紐状に形成されたもの、又は螺旋状に形成されたコード等である。
本実施例では、脱落防止部材１１０は、紐状に形成された樹脂素材をカールさせたもの（カールコード）である。脱落防止部材１１０は、引っ張られると、カールされた部分を直線状にして、伸びる性質を有している。
【００１９】
ペン１２０は、本発明に係る入力部材の一例であり、脱落防止部材１１０の一端に接続されている。これにより、ペン１２０は、肩紐本体１０から脱落することがない。また、ペン１２０は、脱落防止部材１１０が伸縮することにより、情報入力装置のタッチパネルにおける任意位置に触れることができる。なお、ペン１２０の先端は、情報入力装置に対するタッチ操作に適した材料で構成されている。
【００２０】
固定部３０は、肩紐本体１０に設けられている。固定部３０は、ペン１２０を使用しないとき、ペン１２０を肩紐本体１０に固定しておく。なお、固定部３０がペン１２０を肩紐本体１０に固定する手段は、特に限定するものではない。例えば、固定部３０は、フック状の部材を引っ掛けたり、袋状の部材に収容したり、又はベルト状の部材で緊締したりする等して、ペン１２０を肩紐本体１０に固定すればよい。
本実施例では、固定部３０は、ポケット状に形成されており、ペン１２０を収容する。
【００２１】
以上のような構成により、使用者は、肩紐本体１０を肩に掛けた状態で、ペン１２０を使用して、情報入力装置を操作することができる。このとき、ペン１２０は、脱落防止部材１１０を介して肩紐本体１０に連結されているので、使用者は、ペン１２０が地面に脱落してしまう心配をしなくてもよい。また、使用者は、ペン１２０を使用しないとき、ペン１２０を固定部３０に収容しておくことができるので、ペン１２０が邪魔になることはない。
【００２２】
図２は、情報入力装置２００の斜視図である。
図２に例示するように、情報入力装置２００は、クッション部材２１０と、タッチパネル２２０と、操作部２３０とを有する。クッション部材２１０は、情報入力装置２００が地面に落下したときの衝撃を和らげる。タッチパネル２２０は、情報入力装置２００の出力を表示する。さらに、タッチパネル２２０は、タッチ操作を検出することにより、使用者からの入力を受け付ける入力受付面である。操作部２３０には、情報入力装置２００を操作するための各種ボタンが設けられている。
【００２３】
肩紐本体１０は、クッション部材２１０に設けられた穴に取り付けベルト６０を通すことにより、取り付けられる。このとき、肩紐本体１０は、使用時にタッチパネル２２０が略水平になるように、対角方向にある２つのクッション部材２１０に取り付けられるとよい。なお、肩紐本体１０を情報入力装置２００に取り付ける位置は、これに限定するものではなく、情報入力装置２００における２点を支持することにより、タッチパネル２２０を略水平に保つことができる位置であれば、どこでもよい。
【００２４】
図３は、本実施例における肩紐１の使用状態を示す模式図である。
図３に例示するように、肩紐本体１０は、情報入力装置２００の一側面部の一端と略対角方向にある他側面部の一端とを支持するように取り付けられる。使用者は、このように取り付けられた肩紐本体１０を肩に掛けることで、両手を空けたまま、情報入力装置２００を略水平に保つことができる。また、ペン１２０により情報入力装置２００を操作するとき、脱落防止部材１１０は、必要に応じて伸縮し、情報入力装置２００のタッチパネルに触れない程度の長さ及び伸縮性となっている。さらに、本例の脱落防止部材１１０は、固定部３０よりも、肩紐本体１０の中央側（肩紐本体１０の装着時の端部から５〜２０ｃｍ程度の位置）に配置されている。従って、本実施例における肩紐１を使用した場合、図５に例示するような脱落防止部材９１０が情報入力装置９００のタッチパネルに触れることによる誤操作は、発生しない。
【００２５】
［変形例１］
図４は、変形例１における情報入力装置３００の使用状態を示す図である。
図４に例示するように、情報入力装置３００には、棒状部材３１０とペン立て３２０とが設けられている。なお、本図に示される各構成のうち、図１に示された各構成と実質的に同一のものには同一の符号が付されている。
【００２６】
棒状部材３１０は、情報入力装置３００の入力受付面において起立状に形成されている。すなわち、棒状部材３１０は、情報入力装置３００の操作面から垂直上方に突出した突起物である。また、棒状部材３１０の先端には、脱落防止部材１１０が設けられている。そして、脱落防止部材１１０の一端には、ペン１２０が設けられている。なお、棒状部材３１０は、情報入力装置３００の筐体と同一素材により一体的に形成されてもよいし、ネジ止め、接着、又は溶着などにより、情報入力装置３００の筐体に接合されてもよい。また、棒状部材３１０は、ペン１２０を情報入力装置３００のタッチパネルにおける任意位置に持って行ったときに、脱落防止部材１１０が情報入力装置３００のタッチパネルに触れることがないように、角度及び長さを任意に調節して形成されればよい。
【００２７】
ペン立て３２０は、ペン１２０を立てておくための穴である。使用者は、ペン１２０を使用しないとき、ペン１２０を、ペン立て３２０に挿入し、立てておくことができる。
【００２８】
以上のような構成によっても、上記実施例と同様に、使用者がペン１２０を用いて情報入力装置３００を操作するとき、脱落防止部材１１０は、情報入力装置３００のタッチパネルに触れることなく、誤操作を発生させない。
【００２９】
[変形例２]
変形例１における脱落防止部材１１０は、ペンの不使用時（例えば、ペン立てに立てているとき）は、起立した状態となり、ペン１２０の使用時は、湾曲する状態となるように形成されてもよい。脱落防止部材１１０は、可撓性を有する棒状部材であり、例えば、ばね、針金、樹脂棒、又は樹脂板などである。このように形成された脱落防止部材１１０も、上記実施例と同様に、使用者がペン１２０を用いて情報入力装置３００を操作するとき、情報入力装置３００のタッチパネルに触れることなく、誤操作を発生させない。
【００３０】
［その他変形例]
上記実施例において、ペン１２０に脱落防止部材１１０を筐体内部に巻き取る機構を設けてもよい。この場合、ペン１２０が肩紐本体１０から離れる距離に応じて、脱落防止部材１１０が、ペン１２０の内部から引き出されるようにし、ペン１２０が肩紐本体１０に近づく距離に応じて、脱落防止部材１１０が、ペン１２０の内部に巻き取られるようにすればよい。なお、この場合における脱落防止部材１１０は、非伸縮性の素材で形成されてもよい。
【符号の説明】
【００３１】
１      肩紐
１０    肩紐本体
２０    連結具
３０    固定具
４０    長さ調節具
５０    折り返し固定具
６０    取り付けベルト
１１０  脱落防止部材
１２０  ペン
１３０  装着具
２００  情報入力装置
２１０  クッション部材
２２０  タッチパネル
２３０  操作部
３００  情報入力装置（変形例１）
３１０  棒状部材
３２０  ペン立て
９００  情報入力装置（比較例）
９１０  脱落防止部材（比較例）
９２０  ペン（比較例）
【図１】
2011107854.tif 000003
【図２】
2011107854.tif 000004
【図３】
2011107854.tif 000005
【図４】
2011107854.tif 000006
【図５】
2011107854.tif 000007